(57)【要約】【課題】  本発明の課題は、洗浄水量が少ない場合でも便器内の汚物を排出できる給水管構造を提供することである。  【解決手段】  ロータンクの水を大便器に供給する給水管において、前記給水管は前記ロータンク下面の排水部と前記大便器の給水部間に設置され、少なくともＲ状の管部を含み、前記Ｒ管部は垂直方向断面視、前記ロータンク側から前記便器側へ口径を徐々に小さくしたことを特徴とする大便器への給水管構造が提供できる。【選択図】  図３
2014070383.tif 000002
【特許請求の範囲】
【請求項１】
ロータンクの水を大便器に供給する給水管において、前記給水管は前記ロータンク下面の排水部と前記大便器の給水部間に設置され、少なくともＲ状の管部を含み、前記Ｒ管部は垂直方向断面視、前記ロータンク側から前記便器側へ口径を徐々に小さくしたことを特徴とする大便器への給水管構造。
【請求項２】
前記Ｒ管部の内面内側のＲの中心点と内面外側のＲの中心点とを異ならしめたことを特徴とする請求項１に記載の大便器への給水管構造。
【請求項３】
前記Ｒ管部の内面内側のＲを２０ｍｍ以上２５ｍｍ以下とすることを特徴とする請求項２に記載の大便器への給水管構造。      
【請求項４】
前記ロータンクの排水部下面から大便器給水部中心の高さを４０ｍｍから７０ｍｍとしたことを特徴とする請求項１から請求項３に記載の大便器への給水管構造。
【発明の詳細な説明】
【技術分野】
【０００１】
本発明は、洋風大便器への洗浄水の供給に係り、特にタンクと大便器との間に接続される給水管に関する発明である。 
【背景技術】
【０００２】
従来のタンクから洋風大便器への洗浄水の供給では、製作性や経済性に優れた給水管の例として、タンク側の出水口部端の大径状取付口部とボール面後部における吐水ノズルの小径状取付口部とに亘り給水管を柔軟性の導水管としたことが開示されている。（例えば、特許文献１参照）。 
【０００３】
また、壁掛型の便器に経年にわたる荷重にてもロータンクと便器の間の配管箇所に水漏れが生じるのを回避するものとして、フレキシブルな洗浄管にて接続することが開示されている。（例えば、特許文献２参照）
このように、給水管に関する技術については、製作性、経済性、水漏れ防止に関する技術の開示が多く見られた。
【先行技術文献】
【特許文献】
【０００４】
【特許文献１】特開昭６１−２６１５３９号公報
【特許文献２】実開平０３−２９５７４号公報
【発明の概要】
【発明が解決しようとする課題】
【０００５】
一方、近年では、環境を考慮し洗浄水量を少なくして便器内の汚物を排出することが試みられている。そのためには、単にタンクの水量を減らしただけでは便器内の汚物を排出することはできず、水流に勢いを付けるためにはタンクの位置を高くしなければならない。しかし、タンクの位置を高くすると、タンクを収納するキャビネット部の高さも高くなってしまい、キャビネットの上方に位置する手洗器の使い勝手に影響を及ぼしてしまう。
【０００６】
また、商品を取り付けるトイレ空間の制約を受けたり、圧迫感のある意匠となってしまうことや、便器への洗浄水の流入速度が早くなり洗浄時間を減じてしまうという相反する作用が生じてしまうといった問題があった。
【０００７】
本発明は、上記問題を解決するためになされたもので、本発明の課題は、タンクから給水管を介して大便器へ洗浄水が供給される際に、洗浄水量が少ない場合でも便器内の汚物を好適に排出できる給水管構造を提供することにある。
【課題を解決するための手段】
【０００８】
上記目的を達成するために請求項１記載の発明によれば、ロータンクの水を大便器に供給する給水管において、前記給水管は前記ロータンク下面の排水部と前記大便器の給水部間に設置され、少なくともＲ状の管部を含み、前記Ｒ管部は垂直方向断面視、前記ロータンク側から前記便器側へ口径を徐々に小さくしたことを特徴とする大便器への給水管構造が提供できる。これにより少ない水量でも水勢を維持し大便器の汚物を流せるようになる。
【０００９】
また、本発明の好ましい態様によれば、前記Ｒ管部の内面内側のＲの中心点と内面外側のＲの中心点とを異ならしめたことを特徴とする給水管構造が提供できる。これにより、ロータンク側から便器側へ内径を徐々に小さくすることができ、水勢を落とさずにスムーズに水流を便器へ導入することが出来る。
【００１０】
また、本発明の好ましい態様によれば、前記Ｒ管部の内面内側のＲを２０ｍｍ以上２５ｍｍ以下とする給水管構造が提供できる。これにより、給水管内部の曲がり圧力損失を抑えつつ水流の向きを変えることができ、水勢を維持することができる。
【００１１】
また、本発明の好ましい態様によれば、前記ロータンクの排水部下面から大便器給水部中心の高さを４０ｍｍから７０ｍｍとしたことを特徴とする給水管構造が提供できる。これにより、便器への給水の水勢を維持しつつ、ロータンク上部に設けた手洗器の使い勝手のよいものとなる。
【発明の効果】
【００１２】
本発明によれば、少ない水量でも大便器の汚物を流せるようになるという効果がある。
【図面の簡単な説明】
【００１３】
【図１】本発明の実施態様示す模式斜視図である。
【図２】本発明の実施態様示す模式断面図である。
【図３】本発明の実施態様示す模式断面図である。
【図４】本発明の実施態様示す模式断面図である。
【発明を実施するための形態】
【００１４】
以下、本発明の実施形態について図１から図４を参照しつつ、説明する。
図１は、トイレ室に設置される架台、大便器、ロータンクの設置状況を示す模式図である。図１に示すように、大便器１とロータンク３は、トイレ壁面や床面に固定される架台４に取付けられる。架台４は手前側が高さが低い２本の支持フレーム４１で構成され、壁面側が高さの高い２本の固定フレーム４２で構成される。支持フレームの上端と固定フレームの中程が水平方向の連結フレーム４３でそれぞれ固定される。さらに２組の支持フレーム、固定フレーム、連結フレームが大便器の横幅と同程度の間隔をもって複数の横フレーム４４で固定される。
【００１５】
図２は、図１を側方から見た模式断面図である。図２に示すように、大便器１の後端は架台４の支持フレーム４１の前面に取付けられ、ロータンク３は架台４の連結フレーム４３上方に設置される。
【００１６】
図３は、側方から見た給水管とロータンクや大便器との接続状況を示す部分断面図である。図４は、正面から見たロータンク下方と架台との接続状況を示す部分断面図である。図３、図４に示すように、ロータンク３は、架台４の連結フレーム４３上方に設置位置を可変出来る様に設置されたロータンク固定部材７に、ロータンク３に設けられたボルト９をロータンク固定部材７を介してナット１０を締め付けて固定されている。
【００１７】
また、図２、図３に示すように、大便器１の背面には洗浄水の給水部１１が設けてあり、ロータンク３の下部には溜水の排水部３１が設けてある。排水部３１は給水部１１より高い位置になるようにされ、給水部１１と排水部３１とが給水管２にて接続されている。
【００１８】
ここで、給水管２の構造や取付けについて、図３を用いてより詳細に説明する。給水管２はロータンク側の端部に、ロータンク３との接続部を止水するパッキン８を潰す平面がパッキンの潰し代を考慮したロータンク３との間隔が保持される様に設けてある。また大便器側には、スパッド５に挿入する円筒部を設けてあり外面にてスパッド５とパッキンにて止水する。  
【００１９】
また、ロータンク３と給水管２の接続部の止水は、ロータンク固定部材７とロータンク３に挟まれる様に給水管２を設置し、ロータンク３の排水部３１に取り付けたパッキン８をロータンク３と給水管２にて挟みこんで潰すことにより止水している。
【００２０】
大便器１と給水管２はスパッド５と袋ナット６により接続している。大便器１に設置したスパッド５に給水管２を挿入しパッキンを袋ナットにて潰して止水しつつ接続する。これにより、ロータンク３と大便器１の位置関係が部品の公差や施工誤差などの要因から多少変動したとしても止水接続が可能となる。
【００２１】
ロータンクの高さは、高くすれば便器への洗浄水の流入速度が上がることで、洗浄性能において向上する性能項目が見られた。しかしながら、高くするとロータンクを覆うキャビネットの高さが高くなり、ロータンクもしくはキャビネット上の手洗い器の高さが高くなるため、使い勝ってが悪くなる。
【００２２】
そのため、手洗器の使い勝ってを維持しつつ、出来るだけロータンク位置を高く設定できるロータンク排水部下面から大便器給水部中心の高さを４０ｍｍから７０ｍｍとした。４０ｍｍより低くなると給水管の構成上内側のＲが小さくなり洗浄性能が低下し、７０ｍｍを超えると手洗い器の高さが高くなり、手洗い器の使用の面から好ましくない。また、高くし過ぎると便器への流入速度がかえって増え、洗浄時間が短縮する方向となり、洗浄性能に低下傾向が見られる。
【００２３】
給水管２の詳細な形状について説明する。垂直方向の排水部３１から排出される洗浄水が水平方向に流れる部分をＲ状のＲ管部２１とした。そして、Ｒ管部２１から給水部１１へつながる部分を直管部２２とした。
【００２４】
Ｒ管部２１の給水部１１側には直管部２２の一部が挿入できるようになっている。Ｒ管部２１は排水部３１側の内径が給水部１１側の内径より大きくなるようにし、下流側になるにしたがって徐々に内径が小さくなるようにした。具体的には排水部３１側の内径を約５０ｍｍとし、給水部１１側の内径を約３６ｍｍとした。
【００２５】
また、Ｒ管部２１の内面内側のＲを２０ｍｍ以上２５ｍｍ以下で、内面外側を５６ｍｍ以上７０ｍｍ以下とし、内面外側Ｒの中心が内面内側Ｒの中心より高い位置になるよう異ならせることで、内径が徐々に小さくなるようにした。そうしたところ、ロータンクから排出された水の水勢が保たれ、便器からの汚物の排出が容易となった。
【００２６】
一方、比較として内面内側Ｒを２０ｍｍより小さくすると、洗浄性能が多少劣るものとなった。特に、内径が３６ｍｍの均一の給水管で、Ｌ字状のものを用いた試験では、洗浄性能は劣るものであった。
【００２７】
給水管２は複数の樹脂成型品または、樹脂成型品と金属管で構成することができる。給水管を樹脂成型とする場合、樹脂の材料として塩ビ樹脂を用いる。また、樹脂成型品とすることにより、流路を垂直方向から水平方向へ曲げるための構成高さを低く抑えることが出来る。また、製造上において樹脂成型品とすることで、両端を異径にすることが容易となる。
【００２８】
本発明によれば、給水洗浄量を少なくしても、便器の汚物を排出するのに好適な洋風大便器への給水管構造を提供できる。
【符号の説明】
【００２９】
１…大便器、１１…便器給水部
２…給水管、２１…Ｒ管部、２２…直管部
３…ロータンク、３１…タンク排水部
４…架台、４１…支持フレーム、４２…固定フレーム、４３…連結フレーム、横フレーム
５…スパッド      
６…給水管      
７…ロータンク固定台  
８…ロータンクパッキン
９…タンク固定ボルト  
１０…タンク固定ナット    
【図１】
2014070383.tif 000003
【図２】
2014070383.tif 000004
【図３】
2014070383.tif 000005
【図４】
2014070383.tif 000006